(57)【特許請求の範囲】
【請求項１】
光路を開閉するシャッタ羽根と、
カム受け手段を有し、前記カム受け手段を介して前記シャッタ羽根の開閉を駆動する駆動手段と、
移動可能に設けられ、該移動により前記駆動手段に前記シャッタ羽根の開閉のための駆動力を作用させる移動体と
前記移動体に取付け自在に設けられるとともに、前記移動体に取付けた状態で前記カム受け手段と連動して前記シャッタ羽根の開閉のための駆動力を作用させるカム手段を有する光学素子ユニットとを備え、
前記カム手段が前記カム受け手段と連動することなく、前記駆動手段により前記シャッタ羽根が閉状態となるのは、前記光学素子ユニットが所定位置以外にある場合と、前記光学素子ユニットが前記移動体から外れた場合と、であることを特徴とするシャッタ装置。
【請求項２】
前記シャッタ羽根は、前記光路と直交する面に沿ってそれぞれ回転可能に設けられる２枚のシャッタ羽根からなり、これらシャッタ羽根の回転により前記光路を開閉可能にすることを特徴とする請求項１記載のシャッタ装置。
【請求項３】
前記駆動手段は、前記シャッタ羽根を閉状態に付勢する付勢手段を有し、前記カム手段は、前記駆動手段の前記付勢手段に抗して、前記光学素子ユニットが所定位置にある場合と前記光学素子ユニットを前記移動体に取付けた場合に、前記シャッタ羽根を開状態とすることを特徴とする請求項１または２のいずれかに記載のシャッタ装置。
【請求項４】
前記移動体は、前記光学素子ユニットを所定間隔をおいて複数個配置可能であり、これらは一体で直線方向に移動可能に設けられることを特徴とする請求項１乃至３のいずれかに記載のシャッタ装置。
【発明の詳細な説明】
【０００１】
【発明の属する技術分野】
本発明は、顕微鏡などの光学機器に用いられるシャッタ装置に関するものである。
【０００２】
【従来の技術】
従来、顕微鏡として標本の蛍光観察を可能とした蛍光顕微鏡が知られているが、かかる蛍光顕微鏡は、水銀灯などの光源からの励起光を励起フィルタを透過し、ダイクロイックミラーで反射させて、対物レンズを介して標本面に照射し、標本面で発光された蛍光をダイクロイックミラー、吸収フィルタを透過させて接眼レンズにより蛍光像として観察できるようにしている。
【０００３】
この場合、励起フィルタ、ダイクロイックミラーおよび吸収フィルタは、キューブと呼ばれるユニットに一体に組み込まれていて、このようなキューブを複数個搭載したスライダーを移動操作することで、観察する蛍光像の波長に応じて最適なキューブを光路上に位置させることができるようになっている。
【０００４】
【発明が解決しようとする課題】
ところが、このような蛍光顕微鏡によると、観察光路上のキューブを切換える際に光源を点灯したままで行うため、隣接する位置にキューブが取付けていない、いわゆる空穴が存在したり、あるいは空穴そのものが光路上に位置されたような場合、光源の水銀灯からの励起光が空穴から漏れて、直接作業者の目に入ってしまうことがあった。
【０００５】
また、２種類の隣接したキューブ同志を切換える途中においても、励起光の波長と２つのキューブの波長特性によっては、一方のキューブの励起光が、もう一方のキューブのダイクロイックミラー、吸収フィルタを透過することによって、上述したキューブと空穴が隣接した場合と同様に励起光が作業者の目に入ってしまうことがある。この場合の励起光が作業者の目に入る状態を図１９を用いて詳しく説明する。
【０００６】
図１９は、光源と反対側から見た図で、キューブ１０４の配置間隔が短い場合であり、キューブ１０４を切換えている途中の状態を表している。この場合、１１８ａは固定部１２５に対して動かない照明光を透過させる透過穴、１０４はキューブ、１０５は照明光の波長を選択的に透過させる励起フィルタ、１０３はキューブ１０４を装着して固定部１２５に対して図示左右方向に移動可能に保持されているスライダ、１０３ｂ、１２５ａは照明光、観察光を透過させる透過穴、１０１は照明光軸、１１１は標本、１１１ａは観察光軸を示している。
【０００７】
そして、このようなキューブ１０４の切換え途中においては、キューブ１０４の配置間隔が短いため励起フィルタ１０５と透過穴１１８ａを両方とも透過する共通穴部１０５ａ（図中クロスハッチング部）が２箇所存在する。そして、一方の共通穴部１０５ａを透過した励起光は、キューブ１０４内の図示しないダイクロイックミラ−で反射されスライダ１０３の透過穴１０３ａを透過し、さらに固定部１２５の透過穴１２５ａを透過し、図示しないズームレンズ、対物レンズを介して標本１１１に達する（図示太線矢印が光線の経路を示している。）。そして、標本１１１から蛍光が発生し、この蛍光を観察するのであるが、同時に標本１１１で励起光も反射され、この反射された励起光は、透過穴１２５ａから隣のスライダ１０３の透過穴１０３ａを透過するとともに、他方の共通穴部１０５ａから隣接するキューブ１０４内の図示しないダイクロイックミラ−、吸収フィルタを透過して作業者の目に達する。この時の励起光は、蛍光に比べて強度が非常に大きいため、作業者にはかなり眩しく感じられる。
【０００８】
そこで、従来は、キューブ１０４を交換する際に、スライダ１０３の移動前に手動により光源からの励起光を遮断するシャッタを操作したり、あるいは空穴位置に遮光板を取り付けるなどして励起光の漏れを防止するようにしているが、そのためにキューブ交換には多大の手間がかかり、作業者にに不要な負担を強いるという問題があった。
【０００９】
また、励起光の漏れを防止する手段として、図２０（ａ）（ｂ）に示すようにキューブ１０４の配置間隔を長くすることが考えられている。
【００１０】
同図（ａ）は、キューブ１０４の切換え途中で観察光軸１１１ａから少しずれた状態を示し、同図（ｂ）は、観察光軸１１１ａからさらにずれて切換えの中間位置に達した状態を示している。この場合、同図（ａ）の状態でも、励起フィルタ１０５と透過穴１１８ａを両方とも透過する共通穴部１０５ａ（図中クロスハッチング部）が存在する。しかし、ここでは、隣接するキューブ１０４同志の切換えの間隔を長くしていることで、標本１１１で反射された励起光は、図示太線矢印の光線経路のようにスライダ１０３により遮られ、隣接するキューブ１０４に入ることが回避され、また、同図（ｂ）の状態では、共通穴部１０５ａに相当する部分が存在しないので、作業者の目に達する励起光は、存在しない。これにより、励起光の漏れを防止することができる。
【００１１】
ところが、このようにキューブ１０４の配置間隔を長くする構造にすると、装置全体の大型化に繋がることから、このような構成のものを顕微鏡などに採用すること自体問題があった。
【００１２】
本発明は、上記事情に鑑みてなされたもので、移動体の移動に連動してシャッタの開閉を可能にしたシャッタ装置を提供することを目的とする。
【００１３】
【課題を解決するための手段】
請求項１記載の発明は、光路を開閉するシャッタ羽根と、カム受け手段を有し、前記カム受け手段を介して前記シャッタ羽根の開閉を駆動する駆動手段と、移動可能に設けられ、該移動により前記駆動手段に前記シャッタ羽根の開閉のための駆動力を作用させる移動体と、前記移動体に取付け自在に設けられるとともに、前記移動体に取付けた状態で前記カム受け手段と連動して前記シャッタ羽根の開閉のための駆動力を作用させるカム手段を有する光学素子ユニットとを備え、前記カム手段が前記カム受け手段と連動することなく、前記駆動手段により前記シャッタ羽根が閉状態となるのは、前記光学素子ユニットが所定位置以外にある場合と、前記光学素子ユニットが前記移動体から外れた場合と、であることを特徴としている。
【００１４】
請求項２記載の発明は、請求項１記載の発明において、前記シャッタ羽根は、前記光路と直交する面に沿ってそれぞれ回転可能に設けられる２枚のシャッタ羽根からなり、これらシャッタ羽根の回転により前記光路を開閉可能にすることを特徴としている。
【００１５】
請求項３記載の発明は、請求項１または２記載の発明において、前記駆動手段は、前記シャッタ羽根を閉状態に付勢する付勢手段を有し、前記カム手段は、前記駆動手段の前記付勢手段に抗して、前記光学素子ユニットが所定位置にある場合と前記光学素子ユニットを前記移動体に取付けた場合に、前記シャッタ羽根を開状態とすることを特徴としている。
【００１７】
請求項４記載の発明は、請求項１乃至３のいずれかに記載の発明において、前記移動体は、前記光学素子ユニットを所定間隔をおいて複数個配置可能であり、これらは一体で直線方向に移動可能に設けられることを特徴としている。
【００１８】
この結果、本発明によれば、移動体の移動に応じて、駆動手段にシャッタ羽根を開閉するための駆動力を作用させることができるので、移動体の移動に連動させてシャッタを開閉させることができ、移動体の移動の際の光の漏れを防止できる。
【００１９】
また、本発明によれば、２枚のシャッタ羽根が光路に対して対称に開閉するようになり、光路を閉じる際は、光路周辺部から徐々に遮光することができるので、光路の周辺から漏れ出るような迷光などを防止できる。
【００２０】
さらに、本発明によれば、移動体が所定位置以外にある時は、シャッタ羽根は閉状態に駆動されるので、光学素子の切換えなどの際にも光の漏れを防止できる。
【００２１】
【発明の実施の形態】
以下、本発明の実施の形態を図面に従い説明する。
【００２２】
（第１の実施の形態）
図１は、本発明のシャッタ装置が適用される実体顕微鏡、ここでは蛍光顕微鏡の概略構成を示している。図において、１は水銀灯からなる光源で、この光源１は、蛍光を励起するための励起光を発するものである。
【００２３】
このような光源１は、中間鏡筒２側面に取付けられている。中間鏡筒２は、後述するスライダー３に搭載された複数のキューブ４を収容し、スライダー３の移動操作により光路上のキューブ４を切換え可能にしている。ここで、キューブ４は、励起フィルタ５、ダイクロイックミラー６および吸収フィルタ７を有するもので、光源１からの励起光を励起フィルタ５を透過し、ダイクロイックミラー６で反射させて、後述する対物レンズ１０に出射し、また、対物レンズ１０から入射される蛍光をダイクロイックミラー６および吸収フィルタ７を透過させるようになっている。
【００２４】
中間鏡筒２の下方にズーム部８を介して対物レンズ１０を配置している。ズーム部８は、一対のズームレンズ系９を有するもので、キューブ４からの励起光を一方のズームレンズ系９より対物レンズ１０を介して標本１１に照射し、標本１１面で発光される蛍光を対物レンズ１０よりそれぞれのズームレンズ系９を介して中間鏡筒２に入射するようになっている。
【００２５】
中間鏡筒２の上方に双眼鏡筒１２を配置している。この双眼鏡筒１２は、一対ずつの結像レンズ１３と接眼レンズ１４を有するもので、一対のズームレンズ系９からの蛍光を中間鏡筒２のキューブ４および無限系を介して結像レンズ１３に入射させるとともに、接眼レンズ１４で結像させ、蛍光像として観察可能にしている。
【００２６】
図２は、中間鏡筒２に収容されるスライダー３とキューブ４の概略構成を示している。この場合、スライダー３は、ガイドシャフト１５に沿って、光源１からの励起光の光軸１ａおよび標本１１からの蛍光の光軸１１ａに対してそれぞれ直交する方向に直線移動可能にしている。また、スライダー３は、励起光の光軸１ａ方向に沿ったアリ溝３ａを、移動方向に所定のピッチにより複数個形成している。これらアリ溝３ａは、その底面に２個の透過穴３ｂを有していて、スライダー３の移動により励起光の光軸１ａと標本１１からの蛍光の光軸１１ａの直交する位置に移動された時、各透過穴３ｂが標本１１からの蛍光の光軸１１ａ上に位置するようになっている。
【００２７】
そして、これら複数のアリ溝３ａには、キューブ４を挿脱可能にしている。このキューブ４は、アリ溝３ａに対応するアリ４ａを有するもので、光源１から入射される励起光に対応する側面に励起フィルタ５を配置し、励起フィルタ５を透過された励起光を反射するとともに、標本１１からの蛍光を透過するようにダイクロイックミラー６を配置し、さらにダイクロイックミラー６を透過された蛍光に対応する上面に吸収フィルタ７を配置している。
【００２８】
また、キューブ４は、図３に示すように励起フィルタ５を配置した側面にカム手段としてのカム板１６を設けている。このカム板１６は、後述するシャッタ装置１７のカムフォロアー２０ｂが摺動する傾斜部１６ａを有する三角形状をなすもので、スライダー３と一体のキューブ４の移動にともなうカム板１６の傾斜部１６ａに沿ったカムフォロアー２０ｂの摺動によりシャッタ装置１７を開閉動作させるようにしている。
【００２９】
一方、中間鏡筒２は、光源１からの励起光の光軸１ａ上にシャッタ装置１７を配置している。
【００３０】
図４は、このようなシャッタ装置１７の分解斜視図を示すものである。図において、１８はシャッタ座で、このシャッタ座１８の中央部には、光源１からの励起光が通過される透過穴１８ａを有している。また、シャッタ座１８の上縁中央部には、切欠け部１８ｂを形成し、この切欠け部１８ｂを挟んで一対の穴部１８ｃを形成している。
【００３１】
１９は一対のシャッタ羽根１９で、これらシャッタ羽根１９は、基端部の一方面に突起１９ａを形成し、この突起１９ａをシャッタ座１８のそれぞれの穴部１８ｃに挿入することで、回動可能に支持されている。つまり、これらシャッタ羽根１９は、突起１９ａを中心に回動可能になっていている。また、シャッタ羽根１９は、基端部に長穴１９ｂを形成している。
【００３２】
２０は板状のリンクで、このリンク２０は、その中央部を、スペーサ２１とビス２２によりシャッタ座１８に回動可能に支持されている。このリンク２０は、一方端部の一方面に突起２０ａを形成し、この突起２０ａを一対のシャッタ羽根１９の長穴１９ｂに共通に挿入し、リンク２０の回動とともに、これらシャッタ羽根１９を、突起１９ａを中心に相反方向に回動させ、シャッタ座１８の透過穴１８ａ前面での開度を制御可能にしている。つまり、光源１の光路を直交する面に沿って回動することにより、励起光の光路を開閉可能にしている。また、リンク２０は、一方端部の一方面に、カム受け手段としての突起からなるカムフォロアー２０ｂを形成している。このカムフォロアー２０ｂは、上述したスライダー３と一体のキューブ４の移動にともなうカム板１６の傾斜部１６ａに沿った摺動によりバネ２３の偏倚力に抗してリンク２０を回動させ、シャッタ羽根１９の開度を制御するものである。この場合、シャッタ羽根１９は、カムフォロアー２０ｂがカム板１６の三角形の頂点に近付く方向に傾斜部１６ａを摺動される時は、バネ２３の偏倚力に抗してリンク２０を反時計方向に回動させながら、開度を徐々に大きくしていき、三角形の頂点に位置する時に最大開度となり、さらに三角形の頂点から遠ざかる方向に傾斜部１６ａを摺動される時は、バネ２３の偏倚力に応じてリンク２０を時計方向に回動させながら、開度を徐々に小さくするようになっている。
【００３３】
なお、図面中、２４はシャッタ座１８とともにシャッタ羽根１９を挟持するための羽根押えである。
【００３４】
次に、このように構成した実施の形態の動作を説明する。
【００３５】
この場合、中間鏡筒２内のスライダー３の複数のアリ溝３ａには、適当にキューブ４が装着されているものとする。
【００３６】
まず、スライダー３上のキューブ４が、光源１からの励起光の光軸１ａ上に位置していない場合、つまり、図５（ａ）に示すようにキューブ４のカム板１６が励起光の光軸１ａからずれている場合は、シャッタ装置１７のリンク２０のカムフォロアー２０ｂは、カム板１６の影響を受けない場所に位置している。
【００３７】
この状態では、シャッタ装置１７のリンク２０は、バネ２３の偏倚力により時計方向に回動されており、シャッタ羽根１９は、シャッタ座１８の透過穴１８ａを閉じている。ここで、２５は、前述のガイドシャフト１５を支持し、可動部であるスライダーー３に対して固定となる固定部である。固定部２５には、観察光路を確保するために、中心軸が観察光軸１１ａと一致する透過穴２５ａが設けられている（図２、図５参照）。
【００３８】
この状態から、スライダーー３とともにキューブ４を移動し、光源１の励起光の光軸１ａに近付けると、シャッタ装置１７のリンク２０のカムフォロアー２０ｂが、キューブ４の移動とともにカム板１６の傾斜部１６ａに沿って摺動される。この場合、カムフォロアー２０ｂは、カム板１６の三角形の頂点に近付く方向に傾斜部１６ａを摺動されるので、リンク２０は、バネ２３の偏倚力に抗して反時計方向に回動するようになり、シャッタ羽根１９は、開度を徐々に大きくしていく。そして、図５（ｂ）に示すようにカムフォロアー２０ｂがカム板１６の三角形の頂点に位置すると、つまり、キューブ４が励起光の光軸１ａに一致すると、シャッタ羽根１９は、最大開度となり、シャッタ座１８の透過穴１８ａを開放する。
【００３９】
この状態で、シャッタ装置１７を通過した光源１からの励起光は、キューブ４の励起フィルタ５を透過し、ダイクロイックミラー６で反射して、対物レンズ１０を介して標本１１面に照射され、標本１１面で発光された蛍光は、ダイクロイックミラー６、吸収フィルタ７を透過して接眼レンズ１４により蛍光像として観察されるようになる。
【００４０】
その後、キューブ４を切換えるために、スライダー３とともにキューブ４を移動すると、シャッタ装置１７のリンク２０のカムフォロアー２０ｂは、今度は、キューブ４の移動とともにカム板１６の傾斜部１６ａに沿ってカム板１６の三角形の頂点から遠ざかる方向に傾斜部１６ａを摺動される。この場合、リンク２０は、バネ２３の偏倚力に応じて時計方向に回動するようになるので、シャッタ羽根１９は、開度を徐々に小さくなっていき、図５（ａ）に示すようにカムフォロアー２０ｂは、カム板１６の影響を受けない場所に位置するようになると、再びシャッタ羽根１９は、シャッタ座１８の透過穴１８ａを閉じる。
【００４１】
従って、このようにすれば、スライダー３に装着されたキューブ４の移動にともない光源１の励起光の光軸１ａに設けられたシャッタ装置１７を開閉制御できるようになっていて、キューブ４が励起光の光軸１ａに一致すると、シャッタ羽根１９の開度が最大になって、シャッタ座１８の透過穴１８ａを開放し、また、キューブ４が励起光の光軸１ａから外れると、シャッタ羽根１９の開度が小さくなって、シャッタ座１８の透過穴１８ａを閉じるようにしている。
【００４２】
これにより、例えば、キューブ４の切換えの際に、キューブ４を励起光の光軸１ａから外れると、直ちにシャッタ装置１７のシャッタ羽根１９が閉じて励起光の光路を絶つことができるので、仮に、隣接する位置にキューブが取付けていない空穴が存在していて、キューブ４の移動により空穴が励起光の光路上にかかっても空穴を介して励起光が漏れることも防止でき、励起光が作業者の目に直接入るような不都合を解消できる。
【００４３】
また、従来の蛍光顕微鏡では、２種類の隣接するキューブ同士を切換える途中においても、励起光の波長と２つのキューブの波長特性の関係によっては励起光が漏れて作業者の目に入る場合があった。この場合、隣接するキューブ同士の配置間隔（取付けピッチ）を広げれば励起光は漏れなくなるが、こうすると装置が大型化してしまう。
【００４４】
これに対して本発明によるシャッタ装置によれば、スライダー３上に装着されるキューブ４の取付けピッチを小さく設定しても、キューブの波長特性に関わりなくキューブ切換え時の励起光の漏れを防止できるので、中間鏡筒２の小型化が実現できる。
【００４５】
さらに、スライダー３上のキューブ４が装着されていない空穴が光源１の励起光の光軸１ａに一致する位置に移動した場合も、シャッタ装置１７のシャッタ羽根１９が開くことがなく、励起光の光路が断たれているので、空穴を介して励起光が漏れることも防止できる。
【００４６】
さらにまた、キューブ４の移動に連動してシャッタ装置１７の開閉が行われ、従来のように、キューブを交換する際に、スライダーの移動前に手動により光源からの励起光を遮断するシャッタを操作したり、あるいは空穴位置に遮光板を取付けるなどする必要がなくなるので、キューブ切換えの手間を大幅に省略でき、作業者にかかる負担を軽減できる。
【００４７】
さらに、励起光の光軸１ａ上にあるキューブ４をスライダー３から取り外す場合、キューブ４を取り外すとキューブ４と一体のカム板１６も外れるので、シャッタ装置１７のシャッタ羽根１９が閉じられ、励起光の光路が断たれる。従って、このような場合でも励起光の漏れを防止できる。
【００４８】
さらに、シャッタ羽根１９は、２枚構成にして、これら２枚のシャッタ羽根１９が光軸１１ａに対して対称に開閉するようにしたので、シャッタが閉じる際は、遮光すべき開口部の周辺部から徐々に遮光される。一方、迷光となる光は、キューブ４などの光学素子が実際に使用する光軸上などの所定位置から外れた際には、開口部の周辺から徐々に漏れてくることが多いが、２枚構成のシャッタ羽根１９を用いることで、これらの漏れ光をいち早く遮光することができ、検鏡者への眩しい迷光や有害な迷光を効率よく防ぐことができる。
【００４９】
さらに、移動体側にカム板１６を有しているため、安価で容易に、しかもスムーズにシャッタ羽根１９を開閉させるための駆動力を作用させることができる。
【００５０】
さらに、移動体として複数のキューブ４が配置され、これらが一体的に移動可能としているので、それぞれの移動体の有無、配置場所、迷光の特性に合わせて、シャッタ羽根１９に駆動力を作用させるタイミングを設定することができる。
【００５１】
（第２の実施の形態）
次に、本発明の第２の実施の形態を図６乃至図９により説明する。
【００５２】
この場合、図６は、本実施例のシャッタ装置が適用される蛍光顕微鏡の全体構成図、図７は、図６におけるキューブカセット部の詳細図、図８は、図６のキューブカセット部の斜視図、図９は、図８のキューブカセット部のキューブ着脱部のアリ構造図を示している。
【００５３】
この第２の実施の形態では、第１の実施の形態で本発明を実体顕微鏡に適用した場合と異なり、通常の顕微鏡に適用しており、このため観察光路は、一つしかないが、蛍光顕微鏡にシャッタ装置を適用した点は同様で、その蛍光観察の基本的な原理、手法も同様であるため、これらの詳細な説明は省略し、特徴的な部分のみ詳しく説明する。
【００５４】
この場合、図６において、光源１を出射した励起光は、照明光軸１ａに沿つて照明光学系２７を介して導光され、励起フィルタ５を波長選択的に透過し、ダイクロイックミラ−６により観察光軸１１ａと同軸的に対物レンズ１０へ向けて反射され、標本１１を照射される。そして、励起光により励起され、標本１１から発した蛍光は、ダイクロイックミラ−６を透過し、吸収フィルタ７で波長選択されるとともに、対物レンズ１０、結像レンズ４０により結像され、その像をプリズム３０で偏向された状態で接眼レンズ１４により目視観察可能にしている。
【００５５】
なお、図面中、３７は顕微鏡装置全体を支持する鏡体、２９は対物レンズ１０を切替えるレボルバである。
【００５６】
このような全体構成の顕微鏡には、標本１１の蛍光色素の発光波長特性に合わせて励起フィルタ５、ダイクロイツクミラ−６、吸収フィルタ７を一体的に保持したキューブ４を回転軸３２を中心に回転するターレット式で切り換え可能なキューブカセット２８を備えている。
【００５７】
次に、図７乃至図９により、キューブカセット２８を詳細に説明する。このキューブカセット２８は、カセット支持部３１を有し、このカセット支持部３１のオスアリ３１ａを鏡体３７側のメスアリ３６に嵌合させることにより鏡体３７に着脱可能に支持されている。カセット支持部３１は、ターレット３３の回転軸３１ｂを備えている。ターレット３３は、その中心に円筒形状の回転軸３３ｂを有し、この回転軸３３ｂの中空部に回転軸３１ｂが挿入されることで、回転軸３１ｂに対し相対的に回動可能に保持されている。また、回転軸３１ｂの先端には、ターレット３３の回転軸３３ｂが抜け落ちないようにスラスト方向を規制しているナット３４がねじ込まれている。ターレット３３の回転軸３３ｂの周面には、複数のメスアリ部３３ｃが回転軸３３ｂの軸方向に沿って形成されており、これらメスアリ部３３ｃにキューブ４をアリ４ａを介して着脱可能に保持されるようにしている（図９参照）。このキューブ４は、励起フィルタ５、ダイクロイックミラ−６、吸収フィルタ７を一体的に保持したものである。
【００５８】
図８は、キューブ４が３個装着された状態を示している。３５は、キューブカセット２８のカバーであり、カセット支持部３１にネジ３８で固定されている。また、カバー３５は、ターレット３３のローレット部３３ａを露出させるための開口部３５ａを備えている。
【００５９】
このような構成において、検鏡者はターレット３３のローレット部３３ａをカバー３５の開口部３５ａから操作し、ターレット３３を回すことでキューブ４を切り換え、図示しない位置決めクリック機構により所望するキューブ４を光軸１１ａ上に位置決めできるようにしている。また、標本１１に対応させて別のキューブ４と交換する場合は、図示しない固定ビスをゆるめてオスアリ３１ａを引き抜くことでキューブカセット２８を鏡体３７から外し、さらに図示しない固定ビスをゆるめキューブ４のアリ４ａを引き抜いて別の新たなキューブ４を装着し、固定ビスで固定するようになる。
【００６０】
一方、図７において、鏡体３７には、シャッタ装置１７が設けられている。この場合、シャッタ装置１７の構成は、第１の実施の形態で述べたと同様である。また、キューブ４は、シャッタ装置１７に対応するカム板３９を設けている。このカム板３９は、キューブ４を鏡体３７に装着した状態で、シャッタ装置１７に対応して位置決めされるようになっている。
【００６１】
これにより、検鏡者がターレット３３とともに、キューブ４を回転させると、カム板３９は回転軸３２を中心に回転し、第１の実施の形態で述べたと同様にしてカム板３９がシャッタ装置１７のカムフォロアー２０ｂを駆動し、シャッタ羽根１９が開閉する。シャッタ開閉のタイミングも、第１の実施の形態で述べたと同様で、キューブ４が光軸１１ａ上に配されると、シャッタ羽根１９は開き、キューブ４の切り換えの途中ではシャッタ羽根１９は閉まっている。また、キューブ４が装着されていない状態では、シャッタ装置１７に対してカム板３９が存在しないので、切り換え途中と同じでシャッタ羽根１９は閉まったままである。
【００６２】
この結果、第１の実施の形態で述べたと同様にして検鏡者の目に入る眩しい励起光をカットすることができるという効果がある。
【００６３】
また、キューブ４を交換するため、キューブカセット２８を鏡体３７から外した場合には、カム板３９も同時に外れるため、シャッタ装置１７のシャッタ羽根１９が閉じ、励起光が直ちにカットされる。
【００６４】
従って、このような構成にしても、第１の実施の形態と同様な効果を期待でき、さらに、不用意にキューブカセット２８が外されることがあっても、紫外線を含む励起光が迷光として検鏡者に照射されることがなくなり、安全に検鏡を続けることができる。
【００６５】
なお、この第２の実施の形態では、キューブ４にカム板３９を設けた例を述べたが、例えば、図１０（ａ）（ｂ）に示すようにターレット３３にカム板３９に相当するカム部３３ｄを直接形成することもできる。
【００６６】
この場合、ターレット３３には、キューブ４（図示せず）が一体に設けられている。つまり、このターレット３３では、予め設定された種類からなる複数、例えば４個のキューブ４が４等分されたそれぞれの位置関係で固定されている。
【００６７】
また、第２の実施の形態で述べたキューブ４側に設けられたシャッタ装置１７を駆動するためのカム板３９を廃止し、その代わりにターレット３３周面のキューブ４に対応する位置には、カム板３９に相当する三角形状のカム部３３ｄを一体的に形成している。この場合、図１０（ｂ）に示すように空穴５６に対応するターレット３３の周面には、カム部３３ｄを形成しない。このターレット３３の周面にカム部３３ｄを形成しないのは、空穴５６に限らず、例えば偏光観察や微分干渉観察時に使用するボラライザなど透過検鏡時にしか使用しない光学素子が設けられた場合も同様である。
【００６８】
このようにすれば、ターレット３３の周面に三角形状のカム部３３ｄを一体的に形成したため、価格的に安価にできる。
【００６９】
（第３の実施の形態）
次に、本発明の第３の実施の形態を図１１乃至図１６により説明する。
【００７０】
この場合、図１１は、本実施例のシャッタ装置が適用される落射暗視野観察用顕微鏡の全体構成図、図１２は、図１１におけるレボルバ部の詳細図、図１３、図１４は、落射暗視野観察の説明図、図１５、図１６（ａ）（ｂ）は、シャッタ装置を説明する図を示している。
【００７１】
この場合、図１１において、光源１から出射した照明光は、照明光軸１ａに沿つて照明光学系２７を介して導光され、遮光板４１によりリング状の光線束に変換される。その後、その中心部に観察光を透過させるための透過穴４２ａが設けられたドーナツ型のミラ−４２により、観察光軸１１ａと同軸的に対物レンズ１０に向けて反射され、対物レンズ１０の内部の集光ミラ−４３により集光され標本１１に照射される。一方、標本１１に照射された照明光は、標本１１により散乱され、その一部が対物レンズ４９に入る。また、標本１１で直接反射された照明光（０次光）は対物レンズ４９内に入らないようになつている。対物レンズ４９に入つた散乱光は、対物レンズ４９、結像レンズ４０により結像されるとともに、プリズム３０により偏向され、接眼レンズ１４により標本像を目視観察可能にしている。
【００７２】
次に、図１２において、レボルバ部２９と対物レンズ１０の詳細を説明する。
この場合、レボルバ部２９は、鏡体３７に固定されている（図１１参照）。また、レボルバ部２９のレボルバ本体４５の外周面にＶ溝４５ａが形成され、このレボルバ本体４５を覆うように配置されたレボルバ皿４６の内面面にＶ溝４６ａが形成されている。そして、これらＶ溝４５ａ、４６ａの間に複数のボール５７を挟持させ、これらボール５７によりガイドを構成し、レボルバ本体４５に対してレボルバ皿４６を回転軸５８を中心に回動自在に保持している。
【００７３】
レボルバ皿４６には複数のメスネジ部４６ｃが設けられており、このメスネジ部４６ｃに対物レンズ１０側に形成されたオスネジ部をねじ込むことで、対物レンズ１０を着脱可能に固定できるようになっている。
【００７４】
対物レンズ１０は前述したオスネジが設けられた外枠４７と対物レンズ４９を保持する中枠４８で構成されている。この中枠４８は、３本のブリッジ４８ａが設けられており、このブリッジ４８ａを介して外枠４７と連結することで中枠４８を保持しているとともに、リング状の照明光線束を通すための空間を確保している。また、外枠４７先端内部の一部は、集光ミラ−４３を形成していて、リング状の照明光線束を標本１１に集光するようになっている。
【００７５】
レボルバ本体４５の光軸付近も対物レンズ１０と類似の構造をしている。つまり、内筒４４の外周に３本のブリッジ４４ａが設けられており、これらブリッジ４４ａを介してレボルバ本体４５に保持されている。これによりリング状の照明光線束を導光する空間を内筒４４とレボルバ本体４５との間に確保し、且つ内筒４４の内側に観察光線を導光する空間を確保するとともに、照明光が観察光路より漏れないようにしている。
【００７６】
このように構成したレボルバ部２９および対物レンズ１０において、検鏡者はレボルバ皿４６の外周のローレツト部４６ｂを回すことで、レボルバ皿４６を回転させ、図示しないクリック位置決め機構によ観察光軸１１ａ上に所望する対物レンズ１０を位置決めすることで対物レンズ１０の切換えを可能にしている。
【００７７】
次に、このような構成の下で対物レンズ１０を切換える際の問題点について、図１３（ａ）（ｂ）、図１４（ａ）（ｂ）により説明する。
【００７８】
図１３（ａ）（ｂ）は対物レンズ１０が観察光軸１１ａ上に位置決めされて状態を、図１４（ａ）（ｂ）は対物レンズ１０が観察光軸１１ａから少外れた切換え途中の状態を示している。
【００７９】
対物レンズ１０が観察光軸１１ａ上にある場合は、リング状の照明光線束は前述したように、対物レンズ１０、レボルバ部２９のリング状の空間に導光され、標本１１を照明する。そして、標本像として観察される散乱光以外の、正反射した照明光は、再ぴ、対物レンズ１０、レボルバ部２９のリング状の空間に戻される。
【００８０】
ところが、対物レンズ１０の切換え途中では、図１４（ａ）（ｂ）に示すように、リング状の照明光の一部は、対物レンズ１０内の観察光を結像させる対物レンズ４９に導光されてしまい、さらにその照明光が標本１１で反射し再ぴ対物レンズ４９に入射し、検鏡者の目に入ってしまう。このような落射暗視野観察は、標本１１で散乱された僅かな散乱光を観察する検鏡方法であり、このため、照明光は観察される標本像の何十倍もの明るさを有する場合が多く、照明光が検鏡者の目に入ると非常に眩しく感じられる。
【００８１】
このような問題点を解決するため、この第３の実施の形態では、図１５、図１６に示すように対物レンズ切換え途中の照明光をカットするシャッタ装置が設けられている。
【００８２】
図１６（ａ）（ｂ）は、対物レンズ１０の切換え途中の状態を示している。この場合、シャッタ板５０は、同図（ｂ）に示すように段付きビス５３によりレボルバ本体４５との間に挟持された状態で、回転軸５３ａを中心に回動自在に保持されている。シャッタ板５０は、回転軸５３ａと反対側の端部に円形状の遮光部５０ａを有し、この遮光部５０ａにコイルバネ５１の一方端が引っかけてあり、コイルバネ５１のもう一方の端はレボルバ本体４５に固着されたバネカケ５２に引っかけられ、このコイルバネ５１の付勢によりシャッタ板５０の遮光部５０ａが、常時、観察光軸１１ａ上に配されるようにしている。
【００８３】
一方、図１５は、対物レンズ１０が観察光軸１１ａ上に配された状態を示している。この場合、レボルバ皿４６の上面の周縁部には、円周方向に沿って４個の三角形状のカム板５５が設けられている。これらカム板５５はレボルバ皿４６にの回転軸５８に対して対物レンズ１０が取付けられるメスネジ部４６ｃと同じ角度で、これらメスネジ部４６ｃに対応して形成されている。
【００８４】
また、シャッタ板５０は、コイルバネ５１と反対側の端にカム板５５側に突出したピン５４を固着しており、レボルバ皿４６の回転に伴なってカム板５５が移動してピン５４と接触することで、回転軸５３ａを中心にシャッタ板５０を回動させ、遮光部５０ａにより観察光軸１１ａ上を開閉するようなっている。図１５では、カム板５５の三角形の斜面がコイルバネ５１の付勢力に抗してシャッタ板５０を開放させる方向（図中右回転方向）に押している。
【００８５】
次に、このようなシャッタ装置において、検鏡者がレボルバ皿４６を回転して対物レンズ１０を切換える場合を説明する。
【００８６】
まず、対物レンズ１０が光軸１１ａ上に配されており、図１５で述べたように、シャッタ板５０の遮光部５０ａは、観察光軸１１ａ上から外れて位置され、シャッタは開いている。
【００８７】
この状態から、レボルバ皿４６を右回転させると、カム板５５の三角形の斜面は、コイルバネ５１の付勢力し抗してピン５４を押し上げ、シャッタ板５０を右回転させて開放方向に動かす。さらにレボルバ皿４６を右回転させると、カム板５５は三角形の頂点にピン５４が達するまでシャッタ板５０を開放させ続ける。
そして、ピン５４がカム板５５の三角形の頂点を越えると、コイルバネ５１の付勢力によりピン５４とカム板５５との接触状態が外れ、シャッタ板５０を左回転させ、図１６のようにシャッタ板５０の遮光部５０ａは、観察光軸１１ａ上に位置され、シャッタが閉じた状態になる。
【００８８】
ここから、さらにレボルバ皿４６を右回転すると、右隣の新たなカム板５５がピン５４に近づいてゆき、このカム板５５の三角形の斜面がピン５４と接触し始める。そしてカム板５５の三角形の斜面とピン５４が相対的に滑りながらカム板５５がピン５４を押し上げシャッタ板５０を右回転させて観察光軸１１ａ上から遮光部５０ａを退避させシャッタを開放させ始める。
【００８９】
さらにレボルバ皿４６が右回転し、対物レンズ１０が観察光軸１１ａ上に配され、同時にカム板５５の三角形の頂点がレボルバ皿４６の回転軸５８とシャッタ板５０の回転軸５３ａを結ぶ線上に配された時に、図１５のようにシャッタ板５０の遮光部５０ａは、観察光軸１１ａ上から外れ、シャッタは完全に開放された状態となる。
【００９０】
従って、このようにすれば、対物レンズ１０が観察光軸１１ａ上に配されている時は、シヤツタは開放しており、対物レンズ１０が観察光軸１１ａから少し外れるとシャッタが直ちに閉り、その後の対物レンズ１０の切換え途中では、シャッタは、閉じた状態を保持されるようになるので、検鏡者が対物レンズ１０を切換える際に、眩しい照明光が目に入るようなことがなく、安心して検鏡を続けることができる。
【００９１】
なお、この第２の実施の形態では、シャッタ板５０は、回転軸５３ａを中心に回転される１枚の板状のものに付いて述べたが、例えば、図１７、１８に示すように２枚のシャッタ羽根６１を有するものを用いることもできる。
【００９２】
この場合、図１７、図１８（ａ）（ｂ）は、上述した図１５、図１６と同一方向から見た図で、これら図と同一部分には、同符号を付している。
【００９３】
図１７は対物レンズ１０を切換える途中の図であり、図１８は対物レンズ１０が光軸１１ａ上に配された状態の図である。
【００９４】
この場合、２枚のシャッタ羽根６１は、それぞれ基端部にダボ６３が固着されており、これらダボ６３は、図１８（ｂ）に示すようにレボルバ本体４５のボス４５ｅに空けられた穴に嵌入されており、ダボ６３を中心にシャッタ羽根６１を回動自在に固定している。また、これら２枚のシャッタ羽根６１は、ダボ６３を有する端部に長穴６１ａが形成されている。そして、これら長穴６１ａに共通にピン６２が嵌入するととともに、このピン６２の所定間隔をおいて形成された一対のフランジ部６２ａにより２枚のシャッタ羽根６１のスラスト方向の動きを規制することにより、ピン６２は、２枚のシャッタ羽根６１の長穴６１ａの長手方向に沿って自由に移動できるようになつている。
【００９５】
レボルバ本体４５には、ボス４５ｄが形成されている。このボス４５ｄは、シャッタ羽根６１の先端部がたわまないように、その上面で受け止めるもので、シャッタ羽根６１が作動する際に、ボス４５ｄの上面を擦りながら作動することになる。
【００９６】
このような構成とすると、シャッタ羽根６１をダボ６３を中心に回転させると、この回転に伴い、ピン６２は上下方向に移動するともに、シャッタ羽根６１は、光軸１１ａ付近を遮光したり開放したりするシャッタ開閉動作を行うことになる。
【００９７】
一方、シャッタ羽根６１とレボルバ本体４５には、それぞれバネカケ６４、６６が配されており、これらバネカケ６４、６６の間にコイルバネ６５が掛けられている。このコイルバネ６５は、常時、２枚のシャッタ羽根６１を閉じる方向に付勢力を与えている。
【００９８】
レボルバ皿４６の上面の周縁部には、円周方向に沿って４個の三角形状のカム板５５が設けられている。これらカム板５５はレボルバ皿４６の回転軸５８に対して対物レンズ１０が取付けられるメスネジ部４６ｃと同じ角度で、これらメスネジ部４６ｃに対応して形成されている。
【００９９】
以上の構成によりレボルバ皿４６の回転に伴なつてカム板５５を移動して、ピン６２と接触させると、ダボ６３を中心にシャッタ羽根６１が回転され、シャッタが開閉する。図１８は、カム板５５の三角形の頂点がコイルバネ６５の付勢力に抗してシャッタ羽根６１を開放させる方向に押圧している状態を示している。
【０１００】
このようなシャタ装置において、検鏡者がレボルバ皿４６を回転して対物レンズを切換える場合を説明すると、まず、図１８に示すように対物レンズ１０が光軸１１ａ上に配されている場合は、シャッタ羽根６１は開放されている。
【０１０１】
この状態からレボルバ皿４６を右回転させると、コイルバネ６５の付勢力によりカム板５５の三角形の斜面に沿つてピン６２は、光軸１１ａから離れる方向に移動され、シャッタ羽根６１を閉じる方向に動かし、さらにレボルバ皿４６を右回転させると、ピン６２はカム板５５の三角形の斜面から離れ、コイルバネ６５の付勢力によりシャッタ羽根６１は、図１７に示すように完全に閉成される。
【０１０２】
ここから、さらにレボルバ皿４６を右回転すると、左隣の新たなカム板５５がピン６２に近づいて行き、カム板５５の三角形の斜面がピン５４と接触し始め、この斜面をピン６２が滑りながら移動すると、コイルバネ６５の付勢力に抗してピン６２は、光軸１１ａに近づく方向に押し上げるようになり、シャッタ羽根６１をを開放させ始める。さらにレボルバ皿４６を右回転され、対物レンズ１０が観察光軸１１ａ上に配され、同時にカム板５５の三角形の頂点がレボルバ皿４６の回転軸５８と光軸１１ａを結ぶ線上に配されると、図１８のようにシャッタ羽根６１は、完全に開放された状態となる。
【０１０３】
従って、このようにしても、第３の実施の形態と同様に検鏡者が対物レンズ１０を切換える際に、眩しい照明光が目に入ることなく安心して検鏡を行なうことができる。また、この場合のシャッタは、２枚のシャッタ羽根６１より構成しており、閉じ動作では、検鏡者の目に入る迷光が発生しやすい開口部の周辺を両側から徐々に遮光するようになるため、レボルバの対物レンズ取り付けネジの間隔を小さくしても迷光が発生しずらく、レボルバに対し、より多＜の対物レンズを取り付けることが可能となる。
【０１０４】
【発明の効果】
以上述べたように、本発明によれば、移動体の移動に応じて、駆動手段にシャッタ羽根を開閉するための駆動力を作用させることができ、移動体の移動に連動させてシャッタを開閉させることができる。
【図面の簡単な説明】
【図１】本発明の第１の実施の形態が適用される蛍光顕微鏡の概略構成を示す図。
【図２】第１の実施の形態に適用される中間鏡筒内の概略構成を示す図。
【図３】第１の実施の形態に適用されるキューブに形成されるカム板を示す図。
【図４】第１の実施の形態に適用される中間鏡筒に用いられるシャッタ装置を分解して示す図。
【図５】第１の実施の形態の動作を説明するための図。
【図６】本発明の第２の実施の形態が適用される蛍光顕微鏡の概略構成を示す図。
【図７】第２の実施の形態に適用されるキューブかセット部の概略構成を示す図。
【図８】第２の実施の形態に適用されるキューブかセット部の斜視図。
【図９】第２の実施の形態に適用されるキューブカセット部のキューブ着脱部のアリ構造を示す図。
【図１０】第２の実施の形態の変形例として、同第２の実施の形態に適用されるターレットの概略構成を示す図。
【図１１】本発明の第３の実施の形態が適用される落射暗視野観察用顕微鏡の概略構成を示す図。
【図１２】第３の実施の形態に適用されるレボルバ部の概略構成を示す図。
【図１３】第３の実施の形態の落射暗視野観察を説明するための図。
【図１４】第３の実施の形態の落射暗視野観察を説明するための図。
【図１５】第３の実施の形態でのシャッタ装置を説明するための図。
【図１６】第３の実施の形態でのシャッタ装置を説明するための図。
【図１７】第３の実施の形態の変形例としてのシャッタ装置の概略構成を示す図。
【図１８】第３の実施の形態の変形例としてのシャッタ装置の概略構成を示す図。
【図１９】励起光の漏れの状態を説明するための図。
【図２０】従来の励起光の漏れ防止手段の一例を説明するための図。
【符号の説明】
１…光源
１ａ…光軸
２…中間鏡筒
３…スライダー
３ａ…アリ溝
３ｂ…透過穴
４…キューブ
４ａ…アリ
５…励起フィルタ
６…ダイクロイックミラー
７…吸収フィルタ
８…ズーム部
９…ズームレンズ系
１０…対物レンズ
１１…標本
１１ａ…光軸
１２…双眼鏡筒
１３…結像レンズ
１４…接眼レンズ
１５…ガイドシャフト
１６…カム板
１６ａ…傾斜部
１７…シャッタ装置
１８…シャッタ座
１８ａ…透過穴
１８ｃ…穴部
１９…シャッタ羽根
１９ａ…突起
１９ｂ…長穴
２０…リンク
２０ａ…突起
２０ｂ…カムフォロアー
２１…スペーサ
２２…ビス
２３…バネ
２５…固定部
２５ａ…透過穴
２７…照明光学系
２８…キューブカセット
２９…レボルバ部
３０…プリズム
３１…カセット支持部
３１ａ…オスアリ
３１ｂ…回転軸
３２…回転軸
３３…ターレット
３３ａ…ローレット部
３３ｂ…回転軸
３３ｃ…メスアリ部
３３ｄ…カム部
３４…ナット
３５…カバー
３５ａ…開口部
３６…メスアリ
３７…鏡体
３８…ネジ
３９…カム板
４０…結像レンズ
４１…遮光板
４２ａ…透過穴
４４…内筒
４４ａ…ブリッジ
４５…レボルバ本体
４５ａ…Ｖ溝
４５ｄ…ボス
４５ｅ…ボス
４６…レボルバ皿
４６ａ…Ｖ溝
４６ｂ…ローレツト部
４６ｃ…メスネジ部
４７…外枠
４８…中枠
４８ａ…ブリッジ
４９…対物レンズ
５０…シャッタ板
５０ａ…遮光部
５１…コイルバネ
５２…バネカケ
５３…段付きビス
５３ａ…回転軸
５４…ピン
５５…カム板
５６…空穴
５７…ボール
５８…回転軸
６１…シャッタ羽根
６１ａ…長穴
６２…ピン
６２ａ…フランジ部
６３…ダボ
６４．６６…バネカケ
６５…コイルバネ
【図１】
0004632469.tif 000002
【図２】
0004632469.tif 000003
【図３】
0004632469.tif 000004
【図４】
0004632469.tif 000005
【図５】
0004632469.tif 000006
【図６】
0004632469.tif 000007
【図７】
0004632469.tif 000008
【図８】
0004632469.tif 000009
【図９】
0004632469.tif 000010
【図１０】
0004632469.tif 000011
【図１１】
0004632469.tif 000012
【図１２】
0004632469.tif 000013
【図１３】
0004632469.tif 000014
【図１４】
0004632469.tif 000015
【図１５】
0004632469.tif 000016
【図１６】
0004632469.tif 000017
【図１７】
0004632469.tif 000018
【図１８】
0004632469.tif 000019
【図１９】
0004632469.tif 000020
【図２０】
0004632469.tif 000021